(57)【特許請求の範囲】
【請求項１】
複数の処理の中からユーザにより選択された処理を実行する処理実行装置であって、
前記処理の選択をユーザから受け付ける選択受付部と、
前記複数の処理のうちのいずれかの処理の実行開始指示をユーザから受け付ける指示受付部と、
前記選択受付部が前記処理の選択を受け付けた後に前記指示受付部が前記実行開始指示を受け付けた場合に、選択された処理を実行するとともに、前記選択受付部が前記処理の選択を受け付ける前に前記指示受付部が前記実行開始指示を受け付けた場合に、前記複数の処理に共通に含まれる前処理の実行を開始し、前記実行開始指示の受け付け後に前記選択受付部が前記処理の選択を受け付けた場合に、前記前処理の実行後に、前記選択受付部が選択を受け付けた処理において前記前処理に続いて行われる残りの処理を実行する処理実行部と、
を備えることを特徴とする処理実行装置。
【請求項２】
前記処理実行部は、前記選択受付部が前記処理の選択を受け付けた後に前記指示受付部が前記実行開始指示を受け付けた場合、または、前記選択受付部が前記処理の選択を受け付ける前に前記指示受付部が前記実行開始指示を受け付けた場合のいずれか一方でのみ、所定の処理を追加的に実行することを特徴とする請求項１に記載の処理実行装置。
【請求項３】
前記複数の処理は、コピー処理、ファクシミリ送信処理、画像ファイリング処理のうちの少なくとも２つを含むことを特徴とする請求項１または２に記載の処理実行装置。
【請求項４】
前記選択受付部は、前記指示受付部が前記実行開始指示を別途ユーザから受け付けなくとも実行される処理の選択をさらに受け付けることを特徴とする請求項１〜３のいずれか１項に記載の処理実行装置。
【請求項５】
前記実行開始指示を別途ユーザから受け付けなくとも実行される処理は、取扱説明書の表示処理、ウェブページ表示処理、設定画面表示処理を含むことを特徴とする請求項４に記載の処理実行装置。
【発明の詳細な説明】
【技術分野】
【０００１】
本発明は、処理実行装置に関し、特に、複数の処理の中からユーザにより選択された処理を実行する処理実行装置に関する。
【背景技術】
【０００２】
近年、コピー処理やファクシミリ送信処理、画像ファイリング処理などの各種処理を１台で実行可能な画像形成装置が広く用いられている。このような画像形成装置では、各処理に対して詳細な設定を行うことができる。例えば、コピー処理に対しては、両面コピーか片面コピーかの設定、コピー濃度の設定、コピー倍率の設定などが可能である。ユーザは、このような設定を各処理の設定画面において行う。
【０００３】
従来の画像形成装置において各処理に対する設定を確認するためには、画面の切り替え操作などを何度か行う必要があり、ユーザにとって使い勝手の良いものではなかった。例えば特許文献１には、このような問題を改善するため、ユーザによって設定された内容の一覧表示を行う画像形成装置が開示されている。
【先行技術文献】
【特許文献】
【０００４】
【特許文献１】特開２００５−１１１８２８号公報
【発明の概要】
【発明が解決しようとする課題】
【０００５】
しかしながら、上述した従来技術において所望の処理を実行するためには、ユーザは処理の実行開始を指示する前にその処理を選択する必要がある。すなわち、ユーザが、実行する処理を選択する前に処理の実行開始を指示したとしても、実行する処理が未定であるとしてその指示は受け付けられない。この場合、ユーザは、実行する処理を選択し、実行開始を改めて指示する必要があるので不便である。
【０００６】
本発明は、上記実情に鑑み、ユーザによる操作の制約を少なくし、使い勝手を大きく向上させることができる処理実行装置を提供することを目的とする。
【課題を解決するための手段】
【０００７】
上記課題を解決する為に、本発明の第１の技術手段は、複数の処理の中からユーザにより選択された処理を実行する処理実行装置であって、前記処理の選択をユーザから受け付ける選択受付部と、前記複数の処理のうちのいずれかの処理の実行開始指示をユーザから受け付ける指示受付部と、前記選択受付部が前記処理の選択を受け付けた後に前記指示受付部が前記実行開始指示を受け付けた場合に、選択された処理を実行するとともに、前記選択受付部が前記処理の選択を受け付ける前に前記指示受付部が前記実行開始指示を受け付けた場合に、前記複数の処理に共通に含まれる前処理の実行を開始し、前記実行開始指示の受け付け後に前記選択受付部が前記処理の選択を受け付けた場合に、前記前処理の実行後に、前記選択受付部が選択を受け付けた処理において前記前処理に続いて行われる残りの処理を実行する処理実行部と、を備えることを特徴とする。
【０００８】
本発明の第２の技術手段は、第１の技術手段において、前記処理実行部は、前記選択受付部が前記処理の選択を受け付けた後に前記指示受付部が前記実行開始指示を受け付けた場合、または、前記選択受付部が前記処理の選択を受け付ける前に前記指示受付部が前記実行開始指示を受け付けた場合のいずれか一方でのみ、所定の処理を追加的に実行することを特徴とする。
【０００９】
本発明の第３の技術手段は、第１または第２の技術手段において、前記複数の処理は、コピー処理、ファクシミリ送信処理、画像ファイリング処理のうちの少なくとも２つを含むことを特徴とする。
【００１０】
本発明の第４の技術手段は、第１〜第３のいずれかの技術手段において、前記選択受付部は、前記指示受付部が前記実行開始指示を別途ユーザから受け付けなくとも実行される処理の選択をさらに受け付けることを特徴とする。
【００１１】
本発明の第５の技術手段は、第４の技術手段において、前記実行開始指示を別途ユーザから受け付けなくとも実行される処理は、取扱説明書の表示処理、ウェブページ表示処理、設定画面表示処理を含むことを特徴とする。
【発明の効果】
【００１２】
本発明によれば、選択受付部が処理の選択をユーザから受け付け、指示受付部が複数の処理のうちのいずれかの処理の実行開始指示をユーザから受け付け、選択受付部が処理の選択を受け付けた後に指示受付部が実行開始指示を受け付けた場合に、選択された処理を実行するとともに、選択受付部が処理の選択を受け付ける前に指示受付部が実行開始指示を受け付けた場合に、複数の処理に共通に含まれる前処理の実行を開始し、実行開始指示の受け付け後に選択受付部が処理の選択を受け付けた場合に、前処理の実行後に、選択受付部が選択を受け付けた処理において前処理に続いて行われる残りの処理を実行することとしたので、ユーザによる操作の制約を少なくし、使い勝手を大きく向上させることができる。
【図面の簡単な説明】
【００１３】
【図１】本発明の実施形態に係る処理実行装置の構成の一例を示す図である。
【図２】表示パネル部の一例について説明する図である。
【図３】処理の選択後に実行開始指示があった場合の処理の実行例を示す図である。
【図４】処理の選択前に実行開始指示があり、その後処理が選択された場合の処理の実行例を示す図である。
【図５】実行開始指示を別途ユーザから受け付けなくとも実行される処理がユーザにより選択された場合の処理の実行例を示す図である。
【図６】処理実行装置が実行する処理の処理手順を示すフローチャートである。
【図７】処理実行装置が実行する処理の処理手順を示すフローチャートである。
【発明を実施するための形態】
【００１４】
以下、本発明の実施形態について図面を参照して詳細に説明する。まず、本発明の実施形態に係る処理実行装置１０の機能構成について説明する。図１は、本発明の実施形態に係る処理実行装置１０の構成の一例を示す図である。なお、処理実行装置１０の例としてＭＦＰ（Multifunction Peripheral）などの画像形成装置が挙げられるが、処理実行装置１０はそれ以外の装置であってもよい。
【００１５】
処理実行装置１０は、表示パネル部１１、ネットワークインターフェース部１２、電話回線インターフェース部１３、記憶部１４、プレビュー制御部１５、処理実行部１６、制御部１７を備える。
【００１６】
表示パネル部１１は、ユーザから種々の情報の入力を受け付けるとともに、種々の情報を表示する入力・表示デバイスである。図２は、表示パネル部１１の一例について説明する図である。
【００１７】
表示パネル部１１は、タッチパネル部１１ａ、クリアボタン１１ｂ、スタートボタン１１ｃを備える。タッチパネル部１１ａは、ユーザからの入力を受け付けるボタンなどを表示するとともに、ユーザがそのボタンをタッチした場合にそれを検出するなどの処理を行うタッチパネルである。タッチパネル部１１ａは、以下に詳しく説明するように、実行する処理の選択をユーザから受け付ける選択受付部である。
【００１８】
タッチパネル部１１ａには、コピー処理ボタン１１ａ１、ファクシミリ送信処理ボタン１１ａ２、画像ファイリング処理ボタン１１ａ３、取扱説明書表示処理ボタン１１ａ４、ウェブページ表示処理ボタン１１ａ５、設定画面表示処理ボタン１１ａ６などが表示される。
【００１９】
コピー処理ボタン１１ａ１、ファクシミリ送信処理ボタン１１ａ２、画像ファイリング処理ボタン１１ａ３、取扱説明書表示処理ボタン１１ａ４、ウェブページ表示処理ボタン１１ａ５、設定画面表示処理ボタン１１ａ６はそれぞれ、コピー処理、ファクシミリ送信処理、画像ファイリング処理、取扱説明書表示処理、ウェブページ表示処理、設定画面表示処理の実行要求をユーザから受け付けるボタンである。
【００２０】
上記ボタン１１ａ１〜１１ａ６のいずれかが押下された場合、ユーザが容易にそれを確認できるようにするため、押下されたボタン１１ａ１〜１１ａ６が反転表示される。また、タッチパネル部１１ａに表示されるボタンの種類は、処理実行装置１０の状態により変化する。
【００２１】
クリアボタン１１ｂは、ユーザにより入力された情報をクリアするボタンである。スタートボタン１１ｃは、上述したような処理のうちのいずれかの実行開始指示をユーザから受け付ける指示受付部である。
【００２２】
図１の説明に戻ると、ネットワークインターフェース部１２は、インターネットなどのネットワークを介して他の装置との間で通信を行うインターフェースである。電話回線インターフェース部１３は、電話回線を介して他の装置との間でＦＡＸの送受信などを行うインターフェースである。
【００２３】
記憶部１４は、メモリやハードディスク装置などの記憶デバイスである。記憶部１４は、取扱説明書データ１４ａ、画像ファイリングデータ１４ｂ、設定データ１４ｃなどを記憶する。
【００２４】
取扱説明書データ１４ａは、処理実行装置１０の取扱説明書のデータである。この取扱説明書データ１４ａは、取扱説明書表示処理が実行される場合に参照される。画像ファイリングデータ１４ｂは、画像ファイリング処理により蓄積されたデータである。
【００２５】
設定データ１４ｃは、処理実行装置１０が実行する各種処理の設定データである。設定データ１４ｃには、例えば、原稿をスキャンする際の解像度の設定データや、画像を印刷する際の用紙の設定データなどが含まれる。設定データ１４ｃは、各種処理が実行される場合に参照される。
【００２６】
プレビュー制御部１５は、各種処理の実行対象となる画像のプレビュー表示を制御する処理部である。このプレビュー制御部１５は、画像のプレビュー画像のデータを生成し、そのデータを用いて、表示パネル部１１にプレビュー画像を表示させる。プレビュー画像は、例えば、図２に示したパッチパネル部１１ａにおいて、各ボタン１１ａ１〜１１ａ６の右側の領域に表示される。
【００２７】
処理実行部１６は、種々の処理を実行する処理部である。この処理実行部１６は、スキャン処理部１６ａ、コピー処理部１６ｂ、ＦＡＸ処理部１６ｃ、画像ファイリング処理部１６ｄ、取扱説明書表示処理部１６ｅ、ウェブページ表示処理部１６ｆ、設定処理部１６ｇを備える。
【００２８】
スキャン処理部１６ａは、原稿台にセットされた原稿の画像を光学的にスキャンする処理部である。コピー処理部１６ｂは、画像のコピーを行う処理部である。ＦＡＸ処理部１６ｃは、ファクシミリの送受信を行う処理部である。ファクシミリを送信する際の宛先は予め設定しておいてもよいし、送信時に表示パネル部１１が宛先の選択をユーザから受け付ける画面を表示し、ユーザに宛先を選択させることとしてもよい。
【００２９】
画像ファイリング処理部１６ｄは、画像を画像ファイリングデータ１４ｂとして記憶部１４に保存、管理する画像ファイリングを行う処理部である。なお、ここでは、画像ファイリング処理部１６ｄは、記憶部１４に画像を保存することとしたが、ＵＳＢ（登録商標）メモリなどの外部メディアに保存することとしてもよいし、処理実行装置１０にネットワークを介して接続されたサーバ装置に保存することとしてもよい。
【００３０】
ここで、コピー処理部１６ｂ、ＦＡＸ処理部１６ｃ、画像ファイリング処理部１６ｄが原稿台にセットされた原稿の画像のコピー、ファクシミリ送信、画像ファイリングをそれぞれ実行する場合には、前処理としてスキャン処理部１６ａが原稿の画像のスキャンを行う。
【００３１】
また、取扱説明書表示処理部１６ｅは、取扱説明書データ１４ａを記憶部から読み出して、取扱説明書の表示処理を行う処理部である。ウェブページ表示処理部１６ｆは、ウェブページの表示処理を行う処理部である。
【００３２】
設定処理部１６ｇは、受け付けた設定を設定データ１４ｃとして記憶、管理する処理部である。具体的には、設定処理部１６ｇは、表示パネル部１１を制御して、各種処理の設定画面を表示パネル部１１に表示させ、その設定画面を用いてユーザから各種処理の設定を受け付ける。
【００３３】
取扱説明書、ウェブページ、または、設定画面が図２に示したタッチパネル部１１ａに表示される場合には、コピー処理ボタン１１ａ１、ファクシミリ送信処理ボタン１１ａ２、画像ファイリング処理ボタン１１ａ３、取扱説明書表示処理ボタン１１ａ４、ウェブページ表示処理ボタン１１ａ５、設定画面表示処理ボタン１１ａ６の表示が、取扱説明書、ウェブページ、または、設定画面の表示に切り替えられる。
【００３４】
ここで、処理実行部１６による処理の実行例について説明する。所定の処理（本実施形態では、コピー処理、ファクシミリ送信処理、および、画像ファイリング処理）については、処理の選択をユーザから受け付けたタイミングと、処理の実行開始指示をユーザから受け付けたタイミングの前後関係に基づいて、実行内容が変化する。
【００３５】
ここで、処理の選択は、図２に示したコピー処理ボタン１１ａ１、ファクシミリ送信処理ボタン１１ａ２、画像ファイリング処理ボタン１１ａ３の押下によりなされ、処理の実行開始指示は、図２に示したスタートボタン１１ｃの押下によりなされる。
【００３６】
図３は、処理の選択後に実行開始指示があった場合の処理の実行例を示す図である。コピー処理ボタン１１ａ１、ファクシミリ送信処理ボタン１１ａ２、または、画像ファイリング処理ボタン１１ａ３がユーザにより押下され、その後スタートボタン１１ｃが押下された場合、スキャン処理部１６ａは、原稿画像のスキャン処理を実行する。このスキャン処理は、コピー処理、ファクシミリ送信処理、および、画像ファイリング処理に共通に含まれる前処理である。
【００３７】
そして、押下されたボタン１１ａ１〜１１ａ３の種類に応じて、コピー処理部１６ｂ、ＦＡＸ処理部１６ｃ、または、画像ファイリング処理部１６ｄのいずれかが、前処理に引き続いて行われる処理を実行する。すなわち、スキャンされた画像のコピー、スキャンされた画像のファクシミリ送信、または、スキャンされた画像の画像ファイリングのいずれかが実行される。
【００３８】
図４は、処理の選択前に実行開始指示があり、その後処理が選択された場合の処理の実行例を示す図である。まず、図２に示したスタートボタン１１ｃがユーザにより押下された場合、スキャン処理部１６ａは、原稿画像のスキャン処理を実行する。そして、プレビュー制御部１４は、表示パネル部１１を制御して、スキャン処理により得られた原稿画像のプレビュー表示を実行させる。
【００３９】
その後、タッチパネル部１１ａにおいて、コピー処理ボタン１１ａ１、ファクシミリ送信処理ボタン１１ａ２、または、画像ファイリング処理ボタン１１ａ３がユーザにより押下された場合、押下されたボタン１１ａ１〜１１ａ３の種類に応じて、コピー処理部１６ｂ、ＦＡＸ処理部１６ｃ、または、画像ファイリング処理部１６ｄのいずれかが、スキャン処理に引き続いて行われる処理を実行する。すなわち、スキャンされた画像のコピー、スキャンされた画像のファクシミリ送信、または、スキャンされた画像の画像ファイリングのいずれかが実行される。
【００４０】
なお、図３、図４に示したように、処理の選択後に実行開始指示があった場合には、スキャンされた画像のプレビュー表示は行われないが、処理の選択前に実行開始指示があり、その後処理が選択された場合には、プレビュー表示が追加的に実行される。
【００４１】
このように、本実施形態では、処理の選択前に実行開始指示を受け付けた場合にのみプレビュー表示処理を追加的に行って、処理の選択後に実行開始指示を受け付けた場合と、処理選択前に実行開始指示を受け付けた場合とで、処理の内容を異ならせることとした。
【００４２】
これにより、プレビュー表示の指示をユーザから受け付けるボタンをタッチパネル部１１ａに表示させなくとも、ユーザは、ボタン１１ａ１〜１１ａ３とスタートボタン１１ｃの押下の順番によりプレビュー表示を行うか否かを指示できるようになる。そのため、タッチパネル部１１ａに各種ボタンを配置する際の自由度が増し、タッチパネル部１１ａのデザイン面での制約を少なくすることができる。
【００４３】
なお、ここでは、処理選択前に実行開始指示を受け付けた場合に、プレビュー表示を実行することとしたが、例えば、プレビュー画像の印刷など、別の処理を実行することとしてもよい。また、処理選択前に実行開始指示を受け付けた場合ではなく、処理の選択後に実行開始指示を受け付けた場合にのみプレビュー表示を行うこととしてもよい。
【００４４】
また、図５は、実行開始指示を別途ユーザから受け付けなくとも実行される処理がユーザにより選択された場合の処理の実行例を示す図である。タッチパネル部１１ａにおいて、取扱説明書表示処理ボタン１１ａ４、ウェブページ表示処理ボタン１１ａ５、または、設定画面表示処理ボタン１１ａ６がユーザにより押下された場合、押下されたボタン１１ａ４〜１１ａ６の種類に応じて、取扱説明書表示処理部１６ｅが取扱説明書表示処理を実行し、ウェブページ表示処理部１６ｆがウェブページ表示処理を実行し、または、設定処理部１６ｇが設定画面表示処理を実行する。
【００４５】
このような処理については、ボタン１１ａ４〜１１ａ６が押下されたらすぐに取扱説明書表示処理、ウェブページ表示処理、または、設定画面表示処理が実行されるので、ユーザは容易かつ迅速に種々の情報にアクセスすることができる。
【００４６】
図１の説明に戻ると、制御部１７は、処理実行装置１０を制御する中央処理装置などの制御デバイスである。例えば、制御部１７は、各部間のデータの授受や、各種の演算処理などを制御する。
【００４７】
つぎに、処理実行装置１０が実行する処理の処理手順について説明する。図６、７は、処理実行装置１０が実行する処理の処理手順を示すフローチャートである。
【００４８】
まず、処理実行装置１０の処理実行部１６は、図６に示すように、ユーザによりスタートボタン１１ｃが押下されたか否かを判定する（ステップＳ１０１）。スタートボタン１１ｃが押下された場合（ステップＳ１０１においてＹＥＳの場合）、スキャン処理部１６ａは、原稿画像のスキャン処理を実行する（ステップＳ１０２）。
【００４９】
そして、プレビュー制御部１４は、スキャン処理により得られた原稿画像のプレビュー画像を生成する（ステップＳ１０３）。続いて、表示パネル部１１は、プレビュー制御部１４により生成されたプレビュー画像を表示する（ステップＳ１０４）。
【００５０】
その後、処理実行部１６は、コピー処理ボタン１１ａ１、ファクシミリ送信処理ボタン１１ａ２、画像ファイリング処理ボタン１１ａ３のいずれかが押下されたか否かを判定する（ステップＳ１０５）。
【００５１】
コピー処理ボタン１１ａ１、ファクシミリ送信処理ボタン１１ａ２、画像ファイリング処理ボタン１１ａ３のいずれかが押下された場合（ステップＳ１０５においてＹＥＳの場合）、押下されたボタン１１ａ１〜１１ａ３の種類に応じて、コピー処理部１６ｂ、ＦＡＸ処理部１６ｃ、または、画像ファイリング処理部１６ｄのいずれかが、原稿画像スキャン後の残りの処理、すなわち、スキャンされた原稿画像のコピー、ファクシミリ送信、または、画像ファイリングを実行する（ステップＳ１０６）。そして、この処理は終了する。
【００５２】
ステップＳ１０５において、コピー処理ボタン１１ａ１、ファクシミリ送信処理ボタン１１ａ２、画像ファイリング処理ボタン１１ａ３のいずれも押下されていない場合（ステップＳ１０５においてＮＯの場合）、処理実行部１６はクリアボタン１１ｂが押下されたか否かを判定する（ステップＳ１０７）。
【００５３】
クリアボタン１１ｂが押下された場合（ステップＳ１０７においてＹＥＳの場合）、処理実行部１６は、スキャン処理により得られた原稿画像のデータを破棄する（ステップＳ１０８）。その後、ステップＳ１０１以降の処理が継続される。クリアボタン１１ｂが押下されていない場合（ステップＳ１０７においてＮＯの場合）、ステップＳ１０５以降の処理が継続される。
【００５４】
ステップＳ１０１において、ユーザによりスタートボタン１１ｃが押下されていない場合（ステップＳ１０１においてＮＯの場合）、処理実行部１６は、図７に示すように、コピー処理ボタン１１ａ１、ファクシミリ送信処理ボタン１１ａ２、画像ファイリング処理ボタン１１ａ３、取扱説明書表示処理ボタン１１ａ４、ウェブページ表示処理ボタン１１ａ５、設定画面表示処理ボタン１１ａ６のいずれかが押下されたか否かを判定する（ステップＳ１０９）。
【００５５】
上記ボタン１１ａ１〜１１ａ６のいずれも押下されていない場合（ステップＳ１０９においてＮＯの場合）、ステップＳ１０１以後の処理が継続される。上記ボタン１１ａ１〜１１ａ６のいずれかが押下された場合（ステップＳ１０９においてＹＥＳの場合）、処理実行部１６は、押下されたボタン１１ａ１〜１１ａ６に対応する処理が、スタートボタン１１ｃの押下による処理の実行開始の指示を別途ユーザから受け付けなくとも実行される処理であるか否かを判定する（ステップＳ１１０）。
【００５６】
処理の実行開始の指示を別途ユーザから受け付けなくとも実行される処理とは、本実施形態においては、取扱説明書表示処理、ウェブページ表示処理、および、設定画面表示処理のことである。
【００５７】
押下されたボタンに対応する処理が、取扱説明書表示処理、ウェブページ表示処理、または、設定画面表示処理である場合（ステップＳ１１０においてＹＥＳの場合）、取扱説明書表示処理部１６ｅ、ウェブページ表示処理部１６ｆ、または、設定処理部１６ｇは、ボタン１１ａ４〜１１ａ６の押下により指定された取扱説明書表示処理、ウェブページ表示処理、または、設定画面表示処理のいずれかを実行する（ステップＳ１１１）。その後、この処理は終了する。
【００５８】
ステップＳ１１０において、押下されたボタンに対応する処理が、取扱説明書表示処理、ウェブページ表示処理、または、設定画面表示処理ではなく、コピー処理、ファクシミリ送信処理、画像ファイリング処理である場合（ステップＳ１１０においてＮＯの場合）、処理実行部１６は、ユーザによりスタートボタン１１ｃが押下されたか否かを判定する（ステップＳ１１２）。
【００５９】
ユーザによりスタートボタン１１ｃが押下された場合（ステップＳ１１２においてＹＥＳの場合）、スキャン処理部１６ａは、原稿画像のスキャン処理を実行する（ステップＳ１１３）。
【００６０】
そして、押下されたボタン１１ａ１〜１１ａ３の種類に応じて、コピー処理部１６ｂ、ＦＡＸ処理部１６ｃ、または、画像ファイリング処理部１６ｄのいずれかが、原稿画像スキャン後の残りの処理、すなわち、スキャンされた原稿画像のコピー、ファクシミリ送信、または、画像ファイリングを実行する（ステップＳ１１４）。その後、この処理は終了する。
【００６１】
ステップＳ１１２において、ユーザによりスタートボタン１１ｃが押下されていない場合（ステップＳ１１２においてＮＯの場合）、処理実行部１６は、コピー処理ボタン１１ａ１、ファクシミリ送信処理ボタン１１ａ２、画像ファイリング処理ボタン１１ａ３、取扱説明書表示処理ボタン１１ａ４、ウェブページ表示処理ボタン１１ａ５、設定画面表示処理ボタン１１ａ６のいずれかが押下されたか否かを判定する（ステップＳ１１５）。
【００６２】
上記ボタン１１ａ１〜１１ａ６のいずれかが押下された場合（ステップＳ１１５においてＹＥＳの場合）、ステップＳ１１０以降の処理が継続される。上記ボタン１１ａ１〜１１ａ６のいずれも押下されていない場合（ステップＳ１１５においてＮＯの場合）、ステップＳ１０１以降の処理が継続される。
【００６３】
以上本発明の実施形態について説明したが、本発明は上述した実施形態に限定されず、本発明の要旨を逸脱しない範囲内で各種の変形、修正が可能である。
【符号の説明】
【００６４】
１０…処理実行装置、１１…表示パネル部、１１ａ…タッチパネル部、１１ａ１…コピー処理ボタン、１１ａ２…ファクシミリ送信処理ボタン、１１ａ３…画像ファイリング処理ボタン、１１ａ４…取扱説明書表示処理ボタン、１１ａ５…ウェブページ表示処理ボタン、１１ａ６…設定画面表示処理ボタン、１１ｂ…クリアボタン、１１ｃ…スタートボタン、１２…ネットワークインターフェース部、１３…電話回線インターフェース部、１４…記憶部、１４ａ…取扱説明書データ、１４ｂ…画像ファイリングデータ、１４ｃ…設定データ、１５…プレビュー制御部、１６…処理実行部、１６ａ…スキャン処理部、１６ｂ…コピー処理部、１６ｃ…ＦＡＸ処理部、１６ｄ…画像ファイリング処理部、１６ｅ…取扱説明書表示処理部、１６ｆ…ウェブページ表示処理部、１６ｇ…設定処理部、１７…制御部。
【図１】
0005990831.tif 000002
【図２】
0005990831.tif 000003
【図３】
0005990831.tif 000004
【図４】
0005990831.tif 000005
【図５】
0005990831.tif 000006
【図６】
0005990831.tif 000007
【図７】
0005990831.tif 000008